(57)【要約】【課題】錠剤等の内容物を定量だけ、或いは必要量だけ取り出すことができる包装容器を提供する。【解決手段】包装容器は、取り出し口２２を有する容器本体２１０及びこの容器本体２１の取り出し口２２を開閉するための開閉機構１１とからなる。開閉機構１１は、容器本体２１の取り出し口２２の蓋板１５と蓋板１５にヒンジ部を介して連設された傾動部１６と傾動部１６にヒンジ部を介して連設された、容器本体２１に対して滑動可能なスライド部１７からなる。蓋板１５はその端部を支点として容器本体２１に対して回動可能である。蓋板１５には容器本体２１の取り出し口２２を通して出し入れ可能な形状の薄板状部１４が連設されている。【選択図】      図５
2006264776.tif 000002
【特許請求の範囲】
【請求項１】
取り出し口を有する容器本体及びこの容器本体の取り出し口を開閉するための開閉機構とからなる包装容器において、前記開閉機構は、容器本体の取り出し口の蓋板と該蓋板にヒンジ部を介して連設された傾動部と該傾動部にヒンジ部を介して連設された、容器本体に対して滑動可能なスライド部からなり、前記蓋板はその端部を支点として容器本体に対して回動可能であり、前記蓋板には容器本体の取り出し口を通して出し入れ可能な形状の薄板状部が連設されていることを特徴とする包装容器。
【請求項２】
薄板状部には薄板状部よりも厚い基部が連設され、基部と薄板状部により包装内容物の収容空間を形成する開閉機構主部が形成されていることを特徴とする請求項１に記載の包装容器。
【請求項３】
容器本体の内部に少なくとも基部の周面に沿ったガードが設けられていることを特徴とする請求項２に記載の包装容器。
【請求項４】
容器本体の側壁の扇形開閉機構主部の薄板状部を収容する領域に薄板状部の厚さ分だけ、低く形成された部分を設け、この部分に薄板状部を配置し、側壁の内面と薄板状部の表面が面一になるように構成したことを特徴とする請求項１又は２に記載の包装容器。
【請求項５】
容器本体は、底部材と蓋部材とからなり、底部材は蓋部材に嵌合されてなるカード状ケースであることを特徴とする請求項１乃至３の何れか一項に記載の包装容器。
【請求項６】
開閉機構の蓋板は、容器本体に対して回転可能に取り付けるための軸穴を備え、容器本体は開閉機構主部を容器本体に回転可能に取り付けるための軸を備えることを特徴とする請求項１乃至５の何れか一項に記載の包装容器。
【請求項７】
開閉機構の蓋板は、回転軸を備え、容器本体の壁部は前記回転軸の軸穴を備え、回転軸の両端は容器本体に取り付けられた軸穴に回転可能に取り付けられていることを特徴とする請求項１乃至５の何れか一何れか一項に記載の包装容器。
【請求項８】
開閉機構の蓋板はヒンジ部を介して容器本体と一体に形成されていることを特徴とする請求項１乃至５の何れか一項に記載の包装容器。
【請求項９】
スライド部は溝穴部を備え、容器本体は前記溝穴部に挿入可能な大きさの柱を備えることを特徴とする請求項１乃至８の何れか一項に記載の包装容器。
【請求項１０】
スライド部はスライド爪を備え、容器本体は前記スライド爪の滑動壁部を備えることを特徴とする請求項１乃至９の何れか一項に記載の包装容器。
【発明の詳細な説明】
【技術分野】
【０００１】
本発明は、錠剤、顆粒等の包装容器に関する。
【背景技術】
【０００２】
図１、図２に示すように、錠剤容器として、所定位置に通穴５を設けた仕切板２によって上下の錠剤収容室１ａと摺動室１ｂとに分割された本体ケース１と、所定位置に上下に貫通された穴を持った摺動耐３との組み合わせよりなり、該摺動体を本体ケース１の摺動室１ｂに摺動可能に挿入して構成した錠剤容器が使用されている（特許文献１参照）。
また、粒状物用小出しケースとして、矩形トレイ状の底部材と蓋部材とからなるカード状ケースのにおいて、底部材のコーナー部を除く側壁部の一部を該底部材と一体のヒンジキャップとし、該ヒンジキャップとし、該ヒンジキャップの両側面に設けた突起を底部材に設けた嵌合部に開閉自在に嵌合させたヒンジキャップ付カードケースがある（特許文献２参照）。
【特許文献１】実開昭６１−１０５６７５号公報
【特許文献２】特開平９−３１５４６８号公報
【発明の開示】
【発明が解決しようとする課題】
【０００３】
しかしながら、前記した錠剤容器には定量数個を取り出す機能は付加されていない。また、容器の下方に開口した開口部が小さく、一旦取り出し過ぎたものを容器に戻し難い上に直接手のひらに取りだした内容物を容器に戻すため内容物を濡らしたり、また、不潔感を伴うことになる。
また、特許文献２に記載の容器は複数個の粒状物を取り出すのには適しているものの、１個又は定量の内容物を取り出すのには適していない。
本発明が解決しようとする課題は、錠剤等の内容物を定量だけ、或いは必要量だけ取り出すことができる包装容器を提供することである。
【課題を解決するための手段】
【０００４】
請求項１に記載の発明は、上記の課題を解決するもので、取り出し口を有する容器本体及びこの容器本体の取り出し口を開閉するための開閉機構とからなる包装容器において、前記開閉機構は、容器本体の取り出し口の蓋板と該蓋板にヒンジ部を介して連設された傾動部と該傾動部にヒンジ部を介して連設された、容器本体に対して滑動可能なスライド部からなり、前記蓋板はその端部を支点として容器本体に対して回動可能であり、前記蓋板には容器本体の取り出し口を通して出し入れ可能な形状の薄板状部が連設されていることを特徴とする包装容器を要旨とする。
【０００５】
本発明の包装容器によれば、包装容器を傾ける等して、扇形状開閉機構主部の収容空間内に内容物を取り込み、扇形状開閉機構主部内に内容物が取り込まれた状態で、スライド部をスライドさせて、スライド部にヒンジ部を介して連設された傾動部を起こし、傾動部の傾動と共に傾動部にヒンジ部を介して連設された蓋板を起こして扇形状開閉機構主部を回転させて容器本体の取り出し口から外へ露出させ、薄板状部上に乗っかった錠剤を必要量だけ取り出すことができる。また、包装容器を上から握ったまま指をスライド部にかけてスライド部をスライドするだけで蓋板を開くことができ、また、内容物の取り出し時に、包装容器は自然に手前に傾けられるので、包装容器内の錠剤等の内容物を取り出し口のほうに寄せる必要がなく、そのまま、錠剤等を取り出すことが出来る。また、取り出す錠剤、粒状物等の個数の確認が容易であり、動作に無駄がなく、しかも確実性がある。また、スライド部の正または逆方向に移動させることにより蓋板を開閉できることに関しては動きの意外性、驚きがある。
【０００６】
本発明において、薄板状部には薄板状部よりも厚い基部を連設して、基部と薄板状部により包装内容物の収容空間を形成する開閉機構主部を形成しても良い。それでより確実に定量取り出しができる。また、この厚い基部は凹状にしたりすることで、中実に構成する必要はない。
【０００７】
本発明において、容器本体の内部に少なくとも基部の周面に沿ったガードを設けて、錠剤、粒状物等が基部と容器本体の側壁の間に入り込まないようにすることが望ましい。
【０００８】
本発明において、容器本体の側壁の扇形開閉機構主部の薄板状部を収容する領域に薄板状部の厚さ分だけ、低く形成された部分を設け、この部分に薄板状部を配置し、側壁の内面と薄板状部の表面が面一にして、錠剤、粒状物等が薄板状部に入り易いように構成することが望ましい。
【０００９】
本発明において、容器本体は、底部材と蓋部材とからなり、底部材は蓋部材に嵌合されてなるカード状ケースに形成しても良い。
【００１０】
本発明において、開閉機構の蓋板は、容器本体に対して回転可能に取り付けるための軸穴を備え、容器本体は開閉機構主部をを容器本体に回転可能に取り付けるための軸を備え、この軸を開閉機構の蓋板に設けた軸穴に通して蓋板を容器本体に対して回転可能に取り付けるように構成しても良い。
【００１１】
本発明において、開閉機構の蓋板は、回転軸を備え、容器本体の壁部は前記回転軸の軸穴を備え、回転軸の両端を容器本体に設けられた軸穴に回転可能に取り付けるように構成しても良い。
【００１２】
本発明において、開閉機構の蓋板をヒンジ部を介して容器本体と一体に形成しても良い。
【００１３】
本発明において、スライド部は溝穴部を備え、容器本体は前記溝穴部に挿入可能な大きさの柱を備え、柱を溝穴部に挿入し、スライド部を容器本体に対して滑動できるように構成しても良い。
【００１４】
本発明において、スライド部はスライド爪を備え、容器本体は前記スライド爪の滑動壁部を備え、スライド爪を滑動壁に沿って滑動させることにより、スライド部を容器本体に対して滑動できるように構成しても良い。
【発明の効果】
【００１５】
本発明の包装容器は、取り出し口を有する容器本体及びこの容器本体の取り出し口を開閉するための開閉機構とからなる包装容器において、前記開閉機構は、容器本体の取り出し口の蓋板と該蓋板にヒンジ部を介して連設された傾動部と該傾動部にヒンジ部を介して連設された、容器本体に対して滑動可能なスライド部からなり、前記蓋板はその端部を支点として容器本体に対して回動可能であり、前記蓋板には容器本体の取り出し口を通して出し入れ可能な形状の薄板状部が連設されているので、包装容器を傾ける等して、扇形状開閉機構主部の収容空間内に内容物を取り込み、扇形状開閉機構主部内に内容物が取り込まれた状態で、スライド部をスライドさせて、スライド部にヒンジ部を介して連設された傾動部を起こし、傾動部の傾動と共に傾動部にヒンジ部を介して連設された蓋板を起こして扇形状開閉機構主部を回転させて容器本体の取り出し口から外へ露出させ、薄板状部上に乗っかった錠剤を必要量だけ容易に取り出すことができる。また、包装容器を上から握ったまま指をスライド部にかけてスライド部をスライドするだけで蓋板を開くことができ、また、内容物の取り出し時に、包装容器は自然に手前に傾けられるので、包装容器内の錠剤等の内容物を取り出し口のほうに寄せる必要がなく、そのまま、錠剤等を取り出すことが出来る。また、取り出された錠剤、粒状物等の個数の確認が容易であり、動作に無駄がなく、しかも確実性がある。また、スライド部の正または逆方向に移動させることにより蓋板を開閉できることに関しては動きの意外性、驚きがある。
【発明を実施するための最良の形態】
【００１６】
図３乃至図６は本発明の包装容器を示す。図３は本発明の包装容器を構成する開閉機構の斜視図である。図４は本発明の包装容器を構成する容器本体の斜視図である。図５は本発明の包装容器の断面図である。図６は蓋板を開いた状態の本発明の包装容器の断面図である。
【００１７】
本発明の包装容器は、図２に示す取り出し口２２を有する容器本体２１と、図１に示す容器本体２１の取り出し口２２を開閉するための開閉機構１１とからなる。開閉機構１１は、円弧状周面を有する扇形断面と容器本体内部の空間の横幅に相応する厚さを有する基部１２とこの基部１２に連設された円弧状周面を有する薄板状部１４とからなり、基部１２と薄板状部１４は包装内容物の収容空間を形成する扇形状開閉機構主部Ａを備える。扇形状開閉機構主部Ａは容器本体２１に対して回転可能に取り付けるための軸穴１３を備える。開閉機構１１は、扇形状開閉機構主部Ａの他に、扇形状開閉機構主部Ａに連結された蓋板１５とこの蓋板１５にヒンジ部を介して連設された傾動部１６と、この傾動部１６にヒンジ部を介して連設されたスライド部１７を備える。スライド部１７には垂直壁１８が連設され、この垂直壁１８に溝穴部１９が形成されている。容器本体２１は扇形状開閉機構Ａを回転可能に取り付けるための、容器本体２１の取り出し口２２に対応する位置に設けられた軸２５と、スライド部１７の溝穴部１９に挿入可能な大きさの柱２３を備える。扇形状開閉機構主部Ａは、容器本体２１の内部に軸２５の回りに回転可能に取り付けられ、溝穴部１９は滑動可能に柱２３に嵌め込まれ、図５に示すような本発明の包装容器が構成される。
【００１８】
本発明の包装容器において、図４乃至図５に示すように、容器本体２１の内部に少なくとも基部１２の周面に沿ったガード２４が設けられていることが望ましい。基部１２が回転移動すると基部２１と容器本体２１の側壁の間に空隙ができ、そこの錠剤等の内容物が入り込む恐れがあるが、ガード２４が存在することによってこの恐れは解消される。
【００１９】
図７は扇形状開閉機構主部Ａの一部の横断面を図示するものである。図７に示すように容器本体２１の側壁２１ａの内側には扇形状開閉機構主部の薄板状部１４を収容する領域に薄板状部１４の厚さ分だけ低く形成された部分が設けられており、この部分に薄板状部１４が配置され、側壁２１ａの内面と薄板状部段差部１４の表面が面一になっており、即ち段差部が存在せず、錠剤等の内容物が基部１２と薄板状部１４で形成される収容空間に入り易いように構成されている。
【００２０】
また、図８、図９に示すように、容器本体２１はトレー状底部材２１ｂとトレー状蓋部材２１ａからなる。底部材２１ｂに錠剤、顆粒等の包装内容物を収容し図９に示す底部材２１ｂのボス３０に図８に示す蓋部材２１ａのピン２８を係合させ、且つ図８に示す蓋部材２１ａの周囲端部に設けられた段下げ部２８を図９に示す底部材２１ｂの周囲端部に設けられた段上げ部２９を係合させて底部材２１ｂに蓋部材２１ａを嵌合させて一体化され、容器本体２１が形成されている。
【００２１】
また、本発明の包装容器はトレー状の底部材と板状の蓋部材を組みあわせて構成しても良い。
【００２２】
図６は錠剤等の内容物を取り出すときの包装容器の状態を示す。図６に示すように、包装容器を傾ける等して、扇形状開閉機構主部Ａの収容空間内に錠剤等の内容物２６を取り込み、扇形状開閉機構主部Ａ内に内容物２６が取り込まれた状態で、スライド部１７を扇形状開閉機構主部Ａのほうにスライドさせて、スライド部１７にヒンジ部を介して連設された傾動部１６を起こし、傾動部１６の傾動と共に傾動部１６にヒンジ部を介して連設された蓋板１５を起こして扇形状開閉機構主部Ａを回転させて容器本体２１の取り出し口２２から外へ露出させ、薄板状部１４上に乗っかった錠剤等の内容物２６を必要量だけ取り出すことができる。通常使用者は、図６に示す包装容器の上側に位置するので、手前に包装容器を傾けるだけで当然に容易に内容物が収容空間（薄板状部１４）に入る。そしてスライド部１７をスライドすると取り出し口は２２は手前にでる。この位置関係により包装容器を更に手前に傾けることは容易となり、内容部を手前で見て確認してから自然に確実に取り出すことができる。
【００２３】
内容物の大きさ及び取りだしたい個数が変わっても、収容空間のサイズは厚い基部１２の大きさを変えるだけで容易に調整できる。また、収容空間が別のサイズの開閉機構１１を用意しておけば、容器本体は共用して、容器本体をあらたにつくり出すことなく、開閉機構を差し替えるだけで数種類の定量取り出し容器として使用することができる。
【００２４】
複数個の錠剤等が薄板状部１４上に乗って取り出されるときは、必要個数だけ取り、スライド部１７を逆方向にスライドさせることにより、残りの錠剤は薄板状部に載せた状態で、錠剤にはあまり触れずにまた包装容器内に戻すことができる。
【００２５】
図１０は本発明の第２の実施の形態を示す。この包装容器は、蓋部材２１ａと底部材２１ｂと開閉機構１１とからなる。開閉機構１１は、蓋板１５、傾動部１６及びスライド部１７からなり、蓋部の端には回転軸３２が取り付けられている。また蓋板１５には薄板状部１４が設けられている。スライド部１７にはスライド爪３６が設けられている。蓋部材２１ａには回転軸３２の一端を取り付ける軸穴３３が設けられている。また、蓋部材２１の側壁部に取り出し口形成用切欠部２２ａとスライド部１７のスライド爪３６移動用の溝部形成用切欠部３１ａが設けられ、更に蓋部材２１ａの天板の内側にスライド爪３６の滑動壁部３４が設けられている。一方底部材２１には、同様に、回転軸３２の他端を取り付ける軸穴３３が設けられ、側壁部に取り出し口形成用切欠部２２ｂとスライド部１７のスライド爪３６の移動用の溝部形成用切欠部３１ａが設けられ、更に底部材２１ｂの底板の内側にスライド爪３６の滑動壁部３５が設けられている。
【００２６】
開閉機構１１の回転軸３２の両端をそれぞれ蓋部材２１ａ及び底部材２１ｂに設けられた軸穴３３に取り付けた状態で、且つ図１１に示すように、スライド爪３６を滑動壁部３４及び滑動壁部３５に係合させて、蓋部材２１ａと底部材２１ｂを合わせることにより本発明の包装容器を構成することができる。この包装容器においては、スライド爪３６を滑動壁部３４、３５に沿って滑らせることにより蓋板１５を開閉することができる。
【００２７】
図１２は本発明の更にに別の実施の形態を示す。この包装容器は、蓋部材２１ａと底部材２１ｂとヒンジ部を介して蓋部材２１ａと一体に形成された開閉機構１１とからなる。開閉機構１１は、蓋板１５、傾動部１６及びスライド部１７からなる。また蓋板１５には薄板状部１４が設けられている。スライド部１７にはスライド爪３７が設けられている。底部材２１ｂの側壁部に取り出し口形成用切欠部２２とスライド部１７のスライド爪３６移動用の溝部形成用切欠部３１が設けられ、更に底蓋部材２１の底板にスライド爪３６の滑動壁部３８が設けられている。
【００２８】
スライド爪３７を滑動壁部３８に係合させて蓋部材２１ａと底部材２１ｂを合わせることにより本発明の包装容器を構成することができる。図１３はこの実施の形態の包装容器の側面図である。この包装容器においては、スライド爪３７を滑動壁部３８に沿って滑らせることにより蓋板１５を開閉することができる。
【産業上の利用可能性】
【００２９】
本発明の包装容器は、錠剤、顆粒等の内容物の包装容器として利用することができる。
【図面の簡単な説明】
【００３０】
【図１】特許文献１に記載の包装容器の断面図である。
【図２】特許文献１に記載の包装容器の使用状態を示す断面図である。
【図３】本発明の包装容器を構成する開閉機構の斜視図である。
【図４】本発明の包装容器を構成する容器本体の斜視図である。
【図５】本発明の包装容器の断面図である。
【図６】蓋板を開いた状態の本発明の包装容器の断面図である。
【図７】扇形状開閉機構主部Ａの一部の横断面図である。
【図８】本発明の包装容器の実施の形態における容器本体の蓋部材のピン部を示す拡大断面図である。
【図９】本発明の包装容器の実施の形態における容器本体の底部材のボス部を示す拡大断面図である。
【図１０】本発明の包装容器の別の実施の形態の分解斜視図である。
【図１１】図１０に示す包装容器の断面図である。
【図１２】本発明の包装容器の更に別の実施の形態の分解斜視図である。
【図１３】図１２に示す包装容器の側面図である。
【符号の説明】
【００３１】
１１    開閉機構
１２    基部
１３    軸穴
１４    薄板状部
Ａ      扇形状開閉機構主部
１５    蓋板
１６    傾動部
１７    スライド部
１８    垂直壁
１９    溝穴
２１    容器本体
２１ａ  蓋部材
２１ｂ  底部材
２２    取り出し口
２３    柱
２４    ガード
２５    軸
２６    錠剤等の内容物
２７    段下げ部
２８    ピン
２９    段上げ部
３０    ボス
２２ａ  取り出し口形成用切欠部
２２ｂ  取り出し口形成用切欠部
３１    溝形成用切欠部
３２    回転軸
３３    軸穴
３４    滑動壁部
３５    滑動壁部
３６    スライド爪
３７    スライド爪
３８    滑動壁部
【図１】
2006264776.tif 000003
【図２】
2006264776.tif 000004
【図３】
2006264776.tif 000005
【図４】
2006264776.tif 000006
【図５】
2006264776.tif 000007
【図６】
2006264776.tif 000008
【図７】
2006264776.tif 000009
【図８】
2006264776.tif 000010
【図９】
2006264776.tif 000011
【図１０】
2006264776.tif 000012
【図１１】
2006264776.tif 000013
【図１２】
2006264776.tif 000014
【図１３】
2006264776.tif 000015